【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
液体を吐出するための複数の吐出口を配列した吐出口列が設けられた液体吐出ヘッドであって、
前記吐出口と連通する圧力室であって、内部に、液体を吐出するための圧力発生素子を備えた圧力室と、
前記圧力室に液体を供給するための開口と、
該開口から流入する液体を前記圧力室に供給するための、前記吐出口列に沿って延在する流路と、
前記開口の近傍に設けられたヒーターと、
前記吐出口列に沿う領域に設けられた温度センサーと、
を具えたことを特徴とする液体吐出ヘッド。
【請求項２】
前記開口は、第１の開口と、前記流路を介して連通する第２の開口を含み、
前記第１の開口の近傍、および前記第１の開口と前記第２の開口との間に、前記ヒーターと前記温度センサーが設けられることを特徴とする請求項１に記載の液体吐出ヘッド。
【請求項３】
前記開口は複数設けられ、複数の前記開口のそれぞれの近傍および前記複数の開口の間に、前記ヒーターと前記温度センサーが設けられることを特徴とする請求項１に記載の液体吐出ヘッド。
【請求項４】
前記流路の液体を排出するための第２の開口がさらに設けられ、
前記第１の開口の近傍および前記第１の開口と前記第２の開口との間に、前記ヒーターと前記温度センサーが設けられることを特徴とする請求項２に記載の液体吐出ヘッド。
【請求項５】
前記開口は複数設けられ、複数の前記開口のそれぞれの近傍および前記複数の開口の間に、前記ヒーターと前記温度センサーが設けられることを特徴とする請求項４に記載の液体吐出ヘッド。
【請求項６】
前記吐出口列の両端部にそれぞれ隣接する領域に、ヒーターと温度センサーが設けられることを特徴とする請求項１ないし５のいずれか１項に記載の液体吐出ヘッド。
【請求項７】
前記吐出口列の一方の端部に隣接する領域に、ヒーターと温度センサーが設けられることを特徴とする請求項１ないし５のいずれか１項に記載の液体吐出ヘッド。
【請求項８】
前記圧力室内の液体は当該圧力室の外部との間で循環されることを特徴とする請求項１ないし５のいずれか１項に記載の液体吐出ヘッド。
【請求項９】
液体を吐出するための複数の吐出口を配列した吐出口列が設けられた液体吐出ヘッドを用いて液体を吐出する液体吐出装置であって、
前記液体吐出ヘッドは、前記吐出口と連通する圧力室であって、内部に圧力発生素子を備えた圧力室と、開口と、該開口から流入する液体を前記圧力室に供給するための、前記吐出口列に沿って延在する流路と、前記開口の近傍に設けられたヒーターと、前記吐出口列に沿う領域に設けられた温度センサーと、を備え、
前記液体吐出装置は、前記液体吐出ヘッドの温度を制御する制御手段を具え、
前記制御手段は、前記温度センサーが検出する温度に基づいて、前記ヒーターの駆動を制御することを特徴とする液体吐出装置。
【請求項１０】
前記制御手段は、前記温度センサーが検出する温度が所定の閾値温度以下となった場合に、前記ヒーターを駆動して液体の加熱を行うことを特徴とする請求項９に記載の液体吐出装置。
【請求項１１】
前記液体吐出ヘッドは、前記ヒーターの周囲に複数の前記温度センサーを有し、
前記制御手段は、前記ヒーターの周囲の前記複数の温度センサーから算出した温度が、前記閾値温度以下となった場合に、前記ヒーターを駆動して液体の加熱を行うことを特徴とする請求項１０に記載の液体吐出装置。
【請求項１２】
前記液体吐出ヘッドは、複数のインク色ごとの前記吐出口列を備え、
前記制御手段は、前記複数のインク色ごとに、前記温度センサーが検出する温度に基づいて、前記ヒーターの駆動を制御することを特徴とする請求項９ないし１１のいずれか１項に記載の液体吐出装置。
【請求項１３】
前記圧力室の液体を当該圧力室の外部との間で循環する循環手段をさらに具えることを特徴とする請求項９ないし１１のいずれか１項に記載の液体吐出装置。
【請求項１４】
液体を吐出するための複数の吐出口が配列される吐出口列と、
前記複数の吐出口に対向する位置に夫々設けられる、液体を吐出するために利用されるエネルギーを発生する複数の素子と、
前記複数の素子を内部に備える複数の圧力室と、
前記複数の圧力室に連通する複数の開口が前記吐出口列に沿って配列される開口列と、
複数のヒーターが前記開口列に沿って配列されるヒーター列と、
複数の温度センサーが前記開口列に沿って配列される温度センサー列。
を備えることを特徴とする液体吐出ヘッド。
【請求項１５】
前記吐出口列が設けられる吐出口形成部材と、
該吐出口形成部材に接合される基板と、を備え、
前記複数の素子と前記ヒーター列と前記温度センサー列は前記基板の一方の面側に設けられており、前記開口列は前記一方の面の裏面側に設けられていることを特徴とする請求項１４に記載の液体吐出ヘッド。
【請求項１６】
前記基板の裏面側には、前記開口列が形成されるカバープレートが配されていることを特徴とする請求項１５に記載の液体吐出ヘッド。
【請求項１７】
前記圧力室内の液体は当該圧力室の外部との間で循環されることを特徴とする請求項１４ないし１６のいずれか１項に記載の液体吐出ヘッド。
【請求項１８】
液体を吐出するための複数の吐出口が配列された吐出口列を備えた液体吐出ヘッドであって、
前記吐出口と連通する圧力室であって、内部に、液体を吐出するための圧力発生素子を備えた圧力室と、
前記吐出口列に沿って延在し、前記圧力室に液体を供給する供給路と、
前記供給路に液体を供給する複数の供給開口と、
前記吐出口列に沿って設けられた複数のヒーターと複数の温度センサーと、
を備えており、
前記複数の供給開口の夫々に対して、前記ヒーターが１つずつ具えられていることを特徴とする液体吐出ヘッド。
【請求項１９】
前記複数の供給開口の夫々に対して、前記温度センサーが１つずつ具えられていることを特徴とする請求項１８に記載の液体吐出ヘッド。
【請求項２０】
前記ヒーターと前記温度センサーとは、前記供給開口が設けられていない領域であって、前記吐出口列に沿った領域に１つずつ設けられていることを特徴とする請求項１９に記載の液体吐出ヘッド。
【請求項２１】
前記液体吐出ヘッドは、さらに、
前記吐出口列に沿って延在し、前記圧力室から液体を回収する回収路と、
前記回収路から液体を回収する回収開口と、
を備えており、
前記供給開口と前記回収開口の各々に対して、前記ヒーターが１つずつ設けられていることを特徴とする請求項１８に記載の液体吐出ヘッド。
【請求項２２】
前記供給開口と前記回収開口の各々に対して、前記温度センサーが１つずつ設けられていることを特徴とする請求項２１に記載の液体吐出ヘッド。
【請求項２３】
前記ヒーターと前記温度センサーとは、前記供給開口と前記回収開口とが設けられていない領域であって、前記吐出口列の端部領域に１つずつ設けられていることを特徴とする請求項２２に記載の液体吐出ヘッド。
【請求項２４】
複数の前記温度センサーは前記吐出口列に沿って前記供給開口と前記回収開口との間の領域に１つずつ設けられていることを特徴とする請求項２１に記載の液体吐出ヘッド。
【請求項２５】
前記吐出口列は複数列備えられており、前記ヒーターは、前記吐出口列の各列ごとに設けられた前記供給開口と前記回収開口の夫々に対して設けられており、前記温度センサーは前記吐出口列の各列間の領域に複数設けられていることを特徴とする請求項２１に記載の液体吐出ヘッド。
【請求項２６】
前記液体吐出ヘッドは、異なる色のインクを吐出するカラー用の液体吐出ヘッドであり、各色毎に前記吐出口列を複数列備えるとともに、
前記各色毎に、複数の前記吐出口列の間に前記吐出口列に沿って前記ヒーターと前記温度センサーとの組が複数組、一列で設けられていることを特徴とする請求項１８に記載の液体吐出ヘッド。